(57)【要約】      （修正有）【課題】  弱者が重要物を管理する場合不安があり、これに対応する適切な手段がない。また、弱者が、１人歩きする時例えば年少者の登下校時は不安が多い。【解決手段】  弱者や重要物の管理箱等が、急激な現象の変化があった場合その現象を自動検知し、または操作等によって起動器で起動の信号が出力された場合、この信号で起動されるデジタル撮影器等の小型の送信器からデジタル影像がパソコン・デジタルテレビ等の管理器に入力される。従って、一切の現象の変化等は記録に残り、また即座に管理器を保有する保護者等が知ることができる。そこで、これに対して迅速で的確な対応をとることができる。特に記録に残ることは一切の不詳事の発生への予防手段となり、大きな抑止力になる。これによって、正しい社会の発展に不可欠な安全が養護されることになる。また、この装置は再生使用可能であり、経済的である。【選択図】図２
2006079582.tif 000002
【特許請求の範囲】
【請求項１】
急激な現象の変化等の自動検知または操作等によって起動の信号を出力する起動器と、  該信号で起動され該現象等をデジタル撮影し送信する小型の送信器と、  該信号で起動され該デジタル影像を別所で受信し表示・記録または何らかの操作指示する管理器と、を具備した安全体を有することを特徴とする養護装置。
【請求項２】
不正行為に伴う現象を自動検知または操作等で起動の信号を出力する起動器と、  該信号で起動され該現象等をデジタル撮影し送信する小型の送信器と、  該デジタル影像が持主で判別され、即座に警備当局または連絡網に連絡する中介器と、を具備した防犯体を有することを特徴とする養護装置。
【請求項３】
不正行為に伴う現象を自動検知または遠隔操作等で起動の信号を出力する起動器と、  該信号で起動され該現象等をデジタル撮影し送信する小型の送信器と、  該信号で起動され該デジタル影像を別所で受信し表示・記録する管理器と、  該不正侵入に伴う不正行為を防御する可能なすべての手段を備えて出力可能で自動または遠隔操作によって移動自在な防備材と、を具備した防備体を有することを特徴とする養護装置。
【請求項４】
急激な現象の変化等の自動検知または操作等によって、起動の出力をする起動段階と、  該信号で起動され該現象等をデジタル撮影し送信する送信段階と、  該信号で起動されデジタル影像を受信し表示・記録する表記段階と、を具備した安全体の使用方法を有する養護装置の使用方法。
【発明の詳細な説明】
【発明の技術の適用分野】
本発明は養護装置とその使用方法に関し、より詳しくは２０世紀の人類の活動が原因して止むを得ず引起されることになった、限りある資源の枯渇の危機的な課題、地球温暖化の危機的な課題、廃棄物の大量化と循環型社会に転換への課題、日常生活の健康や安全の課題、等の深刻な諸課題に対して応急的な個々の技術を開発し、近未来の社会の養護の一手段を図らんとするものである。［従来技術］  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。資源の枯渇・地球温暖化・廃棄物の増大・日常生活の健康や安全・等への危機的傾向が深刻さを増し、いずれも全地球規模の課題となりつつあるからである。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源・環境・廃棄物・健康や安全・という大きく、かつ深刻な試練を受けることになつている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖���の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返してきた２０世紀の人類の活動の全てが個々の立場に於て検証され、最善の対策が図られるべき必要に迫られてきた。前記したように私達は便利さと、快適さと、物資の豊さと、を手に入れたのと引換えに毎日実に多くの資源やエネルギーを消費している。例えば、我国では１年間に排出される一般廃棄物は約５千万トン（東京ドームの１３８杯分）を越え、産業廃棄物は約４億トン（同１１０４杯分）を越えている。後者では最終処分場があと１、６年で満杯となり以後は廃棄する場所に困するとされている。このような大量の廃棄物の原因になっているものは、日常生活や経済活動で使用され捨てられた膨大な製品の集積であり、膨大な製品は実に大量の資源やエネルギーを使って制作されたものである。大量生産・大量消費・大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口���膨大であるだけに世界全体では現在の数倍の規模になる。資源枯渇問題・地球温暖化問題・廃棄物問題は２１世紀以後の近未来に深刻な影響を及ぼす地球規模の課題である。［発明が解決しようとする課題］  前記のように、資源枯渇・地球温暖化・廃棄物、等の危機的な課題は、特に、２０世紀後半の人類の活動が原因しているから、活動の全てが個々の立場に於て検証され最善の対策が図られる必要に迫られてきた。特に、人類の活動の大部分は「製品」とその「扱われ方」に具現化されているから、その双方が個々に検証されるべき状況になつている。「製品」と「扱われ方」は日常の生活に密着しているから、習慣化されあたかも当然の如く定着している。″習慣化″ということは恐ろしい程大きな力を内包している。確かに日常の生活で使用される膨大な製品は、生活の一部として非常に便利ではあるが、便利さで習慣化される故に何十年も継続して使用され、続けていく。他方で、その便利さとは引換えに全体としては大きな資源枯渇・地球温暖化・廃棄物、等世界規模の課題の一因になっている。例えば後記のように、日常生活で非常に便利なレジ袋は汚れを無視すれば実験に依ると１００回以上の繰返し使用に耐えられるが、現実には買物入れの１回の使用とごみ袋としての使用とのみで廃棄されている。その結果、世界全体では積上高さ数千ｍの大量のレジ袋が毎日廃棄され焼却されている。膨大な製品とその扱われ方は多くの品種について個々の立場に於て再検討されるべき要因を含んでいる。妥当な転換は新しく習慣化されるから、現習慣に対して多少の便利さは犠牲にしても改善への努力は欠くことができない。″現在″を主体とした現状維持は楽で便利だから固執する抵抗は大きくても近未来を視野に入れた大所・高所からの判断が優先される。日常の生活の隅々にまで浸透している石油資源はあと４０数年で枯渇、２５年で輸入困難、１０年で需給関係の崩壊・価格高騰、等の危機を迎えると予測されている。石油製品の廃棄・焼却は大量の二酸化炭素・有害物質を排出し地球温暖化・環境汚染の原因になる。近未来への責任は過去と現在とに在り、資源・環境は非可逆的な性質を有す。現在の時点から、石油資源の消費が極少で済み温存する体制に転換されることが次世代以後の近未来が資源・環境の両面の危機から養護される一手段を図ることになる。  本発明は上記した従来の課題に鑑みて成したもので下記を主な目的とする。（１）  本発明の第１、の目的は、有限な資源の枯渇の危機からの養護を図ることである。特に石油資源は地球独得のものだが、現在の消費傾向が続くとあと４０数年で枯渇、２５年で輸入困難、１０年で需給関係の崩壊による価格の高騰、等の深刻な危機が到来すると予測されている。この深刻な危機を現在の時点から痛切に感じ取り消費が極少で済み未来に永く温存する体制に転換されることが、次世代以後の近未来の社会を深刻な打撃から養護する一手段を図ることになる。（２）  本発明の第２の目的は、地球温暖化の危機からの養護を図ることである。現在の二酸化炭素の排出傾向が続くと２１世紀後半から臨海都市や地域の水没化・水不足・食糧の減産・環境難民の続出、等世界規模の危機の傾向が漸次進行すると予測されている。地球温暖化は２０世紀以��の人類の活動が原因しているから活動のあり方を個々に検証し二酸化炭素の排出源が極少で済むよう転換されることが、近未来の社会を深刻な打撃から養護する一手段を図ることになる。（３）  本発明の第３の目的は、循環型社会の形成による上記課題の解決への寄与を図ることである。経済の高度成長は大量廃棄時代の到来となり、資源枯渇問題、地球温暖化問題を引起すに至っている。そこで、膨大な数量の各製品が生産・流通・消費・廃棄の各段階を通じて資源やエネルギー利用の無駄が少く環境への負荷が低減化される循環型社会の形成に転換されることが、近未来の社会を深刻な打撃から養護する一手段を図ることになる。（４）  本発明の第４の目的は、日常生活の健康維持・安全維持等身近な生活の基礎の養護を図ることである。社会で活動する全ての人々にとって健康と安全は活動の源泉であり、これなくして労働意欲の維持・社会の発展はあり得ないが難しい課題でもある。こららの難しい課題を個々に検討を図ることが日常生活を養護し上記の課題を解決する一手段を図ることになる。［実施の最良の形態］（１−１）実施例安全体次に（１−１）実施例について図を参照して説明する。図の図（ａ）は体の一実施例を示す図、図（ｂ）は同上実施例を示す図、図（ｃ）は影像の送信系統の模式図である。本実施例の安全体は、不正行為に伴う現象の変化を検知または操作して信号を出力する起動器と、信号を入力して現象の変化を撮影してデジタル影像等を送信する送像器と、をコンパクトに構成し、デジタル影像を別所の管理器で受信して表示・記録して弱者や重要物の近傍の諸現象を管理し迅速で的確な連携対応を可能にして全体制の強化を図り、多くの不正行為の発生を未然に減2006079582.tif 000003
本実施例の安全体は、起動器と、送像器と、管理器と、で成る。○  起動器は、例えば不正行為等に伴う現象の変化、光や温度の急激な変化を検知、または保持者の操作で起動の信号を出力する小型のものである。現象の変化とは被覆物の開閉や人体の出現等による光や温度の急激な変化を示し、保持者の操作とは意識的に現象の変化やスイッチを手等により操作するものを示す。○  送像器は、上記の信号を入力した直後の現象の変化、例えば不正行為に伴う影像がデジタル撮影される→超小型の小写器と、このデジタル影像が電波で送信可能な超小型の送信器と、を含んで別体又はユニットに構成される。送像器は、信号を入力した直後から一定間隔で複数枚を自動的に撮影する。送像器は、例えば手に持ち易い形状、衣類に装備し易い小型、または重要物と共に収容され易い小型または薄型に構成される。電源は一般電池・蓄電池・太陽電池等で、衣服等に装備され易く折曲可能なものでもよい。○  管理器は、起動器の信号まで起動され送信されたデジタル影像を別所で表示・記録する部材で携帯電話・パソコン・デジタルテレビ等である。これにより、弱者や重要物の近傍の現象に急激な変化が起った場合に家族や警備等の関係者で現象が（半）自動的に管理・記録され連携して対応される。管理器は、遠隔スイッチを併備して隨時起動して撮影されてもよい。（１−２）実施例安全体次に、（１−２）実施例について図を参照して説明する。図の図（ａ）は安全体の一実施例を示す断面図、図（ｂ）は同上実施例を示す側面図、図（ｃ）は映像の送信系統の模式図である。本実施例の安全体は、人体の着衣物等の身辺類に入光部が常時露出して装備された超小型デジタルカメラである小写器によって人体の身辺の状況を隨時撮影可能とし、送信器で送信された小写器のデジタルの映像が表示・記録される管理器によって家族や関係者が遠方でも監視・記録が可能なシステムを構成して、幼少期・高令期の要保護時や外出時の要注意時や職務上の要警護時、等の人体の安全性を経済的に養護する一手段を図るものである。本実施例の安全体は、小写器と、送信器と、管理器と、で成る。○  小写器は、超小型のデジタルカメラの入光部が人体の着衣物や携帯物等の身辺類に人体の身辺の状況を隨時撮影可能なように常時露出して装備される。小写器は例えば衣服のポケット・エリのバッジやボタンや帽子の帽章・帽頂玉やカバンの飾り等の身装具に目立ぬよう入光部が装備されその奥方に本体部が付装される。身辺類は身装具と同じ形状で入光部を含まない模装具が複数個装備されてもよい。小写器はその周縁への指の触れや模装具への指の触れで撮影されるスイッチを装備する。○  送信器は、小写器に付装され撮影直後にデジタルの映像を送信する小型・薄型の部材である。電源部は折曲可能な薄板の太陽電池でもよい。○  管理器は、送信器から送信されたデジタルの映像を表示・記録する部材で人体の家族や関係者が保持する携帯器・パソコン・デジタルテレビ等である。管理器は小写器のスイッチを操作時に、または一定時間の間隔で自動的に、または管理器からの信号の発信時に、各々撮影されたデジタルの映像が送信器から管理器に送信され表示・記録される。（２−１）実施例防犯体次に、（２−１）実施例について図を参照して説明する。図の図（ａ）は防犯体の一実施例を示す断面図、図（ｂ）は取付凾の実施例の断面図、図（ｃ）は情報の送信構成の模式図である。本実施例の防犯体は、不法な侵入行為を検知する検知器の信号を受けて侵入所を撮影器で自動的にデジタル撮影し、デジタル映像と電話番号とを中介器によって連絡器に送信し、連設された即表器で映像・必要情報・地図等を即刻表示して迅速で的確な対応を可能とし、不法な侵入行為の発生減少を図って、労働の基盤である安全で正しい社会の養護を図るものである。本実施例の防犯体は、検知器と、撮影器と、中介器と、連絡器と、で構成される。○  検知器は、赤外線・超音波・レーザ光等種々あるが、的確性・耐久性・経済性等から最適なものが採用される。侵入所は夜間や留守の住宅の周辺、貴重品や高価物の取扱いの要所等である。自動的に検知し信号が送信される。○  撮影器は、検知器からの信号を受けてデジタルで撮影するデジタル撮影器である。撮影時には照明灯（フラッシュでも可）が点灯される。検知器・照明器・撮影器は、例えば取付凾の内部に方向設定を調整可能に装備される。取付凾は例えば軒下では外観から確認されにくいよう形成させるが、可能な限り小型で場所の種類を問わず取付可能に構成される。○  中介器は、被害者が所有するパソコン・デジタルテレビ・携帯器等であり、検知器からの信号を受けて自動的に撮影器からのデジタル影像が受信される。デジタル影像は被害者の点検を受けてその判断で中介器を操作するとワンタッチでデジタル映像と電話番号とが連絡器に送信される。深夜時では被害者を目ざめさせ、外出時では携帯器の操作が可能にされる。○  連絡器は、当局が所有するパソコン・デジタルテレビ・携帯器等である。連絡器は中介器からデジタル映像と電話番号とを受信すると、その他必要な情報が連設された即表器に自動的に即刻表示される。必要な情報とは、例えば即表ソフトに記憶され電話番号から自動的に表示される氏名・住所・附近の地図等、迅速で的確な対応に必要な一切の情報である。（３−１）実施例防備体次に、（３−１）実施例について図を参照して説明する。図の図（ａ）は防備体の一実施例を示す断面図、図（ｂ）は他の実施例を示す側面図、図（ｃ）は防備手段の１例を示す表である。本実施例の防備体は、人体以外に種々の防備手段を備えたロボットである防備材を、弱者や個人の住む住居に於て防備可能に併在し、または弱者の歩行に隨行して併在し、弱者や不安や不正からの養護を図るものである。本実施例の防備体は、起動器と、送信器と、管理器と、防備材と、によって構成されている。○  起動器、送信器、管理器、は説明済なのでここでは省略する。○  防備材遠隔制御、自動制御で動くロボットで、車輪走行又は人形走行である。ａ．デジタル撮影−−−（説明省略）ｂ．デジタル映像管理−−−（説明省略）ｃ．ネットワーク送信−−−必要な各所とネットワークを形成し通信し合う。ｄ．連絡網−−−身近な連絡網を示す。ネットワークに依ってもよい。ｅ．集中投光−−−集中投光すれば周囲が見えにくくなる。デジタル撮影にも良い。ｆ．大音声発生−−−大音声は多数の人の注目を引き不正行為を行いにくくする。ｇ．特殊溶液噴射−−−  上記で、���〜ｇは単独では弱いが、ａ〜ｄと共用されることによって効力は倍増する筈である。［発明の効果］（１）  安全体は、弱者や重要物等が保有し関連の機器を起動用の○信号を出力する起動器と、その信号を入力し現象の変化をデジタル撮影する小写器及びそのデジタル影像を送信する送信器とを含む送像器と、がコンパクトに構成される。  この信号で起動された別所の管理器は送信されたデジタル影像を表示・記録するので、弱者や重要物に起り易い不正行為等に伴う現象に対して迅速で的確な連携対応が可能になる。例えば年少者・高令者・単独者・女性・警備者は外出先でも夜間でも防備体を保有している限り現象が管理器で表示・記録される。貴重品等の重要物は携帯袋や貯蔵凾の中に防備体と共に収容されている限り管理器で表示・記録される。弱者や重要物等への不正行為等は管視や証拠が行届かないところで起る。従って、弱者や重要物等は起りうる現象の急激な変化が家族や関係者によって他所で表示・記録される体制がシステム化されれば養護される。小写器以外の起動器や送信器は折曲可能・薄型にも構成され衣類に装備される。都合により防備体は保有しなくても不正行為は敬遠される傾向になる。不正行為は発生減少が図られれば全ての基盤である安全で正しい社会は養護される。（２）  防犯体は、不法な侵入行為を検知する検知器の信号を受けた撮影器が侵入所を自動的にデジタル撮影し、点検を受けたデジタル映像が電話番号と共に中介器から連絡器に送信される。連絡器に連設された即表器はデジタル映像と被害者の氏名・住所・地図等必要な情報の一切を自動的に即刻表示する。このような送信・表示は瞬時に成されるので極めて迅速で的確な対応が可能となる。これにより、夜間・留守の住宅や貴重品を扱う店舗等では不法な侵入行為は失販に終る。失販の事例の積重ねは発生予防となり発生件数は減少すると推定される。防犯体は、外観からは確認されにくいよう構成されるから、例え都合により無防備であっても不法な侵入は敬遠される傾向になり養護される。また防犯体は、場所の種類を問わず取付可能なように構成される。これにより、発生減少が図られれば労働の基盤である安全で正しい社会は養護される。（３）  防備体は、遠隔制御、自動制御が可能なロボットで、弱者や個人の住む住宅における不安や不正等に対して適切な対応が成されるので、高令化社会に向う家庭では安心感が得られると推定される。例えば不正行為があった場合でも、可能多くの手段の個々は力は弱いが、一切の状況がデジタル撮影、管理、ネットワーク送信、連絡網と組み合わされることによって威力が数倍に大きくなる。  また、住宅で性能が向上すれば、弱者の１人歩きや電動イス等の走行先の付そい用としても将来は必要性が増す可能性がある。これらによって安全性の養護が図られる。また、これらの存在は、不詳事の発生の抑止力になる。
【図面の簡単な説明】［図１］２０世紀を中心とした３世紀の主な地球規模の環境の変化と予測を示す図、［図２］本発明養護装置の一実施例を示す図、［図３］本発明養護装置の他の実施例を示す図、［図４］本発明養護装置の他の実施例を示す図である。
【符号の説明】
【図１】
2006079582.tif 000004
【図２】
2006079582.tif 000005
【図３】
2006079582.tif 000006
【図４】
2006079582.tif 000007